(57)【要約】【課題】偏光面が揃った投射画像光を生成することができ、偏光スクリーンと組み合わせることにより高コントラストの投射画像が得られるようにする。【解決手段】ランプ１からの光源光は、カラーホイール２で時分割で３原色に分離され、集光ロッド３で平行光化されてＰＳ分離合成素子４に入射する。ＰＳ分離合成素子４は、入射光をＰ波とＳ波に分離したあと、一方の偏光成分を他方の偏光成分の偏光面に一致するように回転させ、同一の偏光面を持つ偏光光として出射させる。出射した光は、ＤＬＰ素子６で画像光となり、投射レンズ７を介してスクリーンに投射される。投射画像光を投射するスクリーンとして偏光スクリーンを用い、投射画像光が反射するようにその偏光軸を設定する。こうして投射画像光を効率よく反射させるとともに、ランダムな円偏光である外光は、その半分を吸収させることにより、高コントラストの投射画像を得ることができる。【選択図】図１
2005128120.tif 000002
【特許請求の範囲】
【請求項１】
ＤＬＰ素子を有し、該ＤＬＰ素子によって生成した投射画像光を投射するＤＬＰプロジェクタ装置において、該プロジェクタ装置は、光源光のＰ偏光成分またはＳ偏光成分のいずれか一方を他方の偏光成分と同じ偏光面を持つように変換するＰＳ分離合成素子を有し、該ＰＳ分離合成素子によって変換された光を前記ＤＬＰ素子に入射させることを特徴とするＤＬＰプロジェクタ装置。
【請求項２】
請求項１に記載のＤＬＰプロジェクタ装置において、該ＤＬＰプロジェクタ装置は、光源と、該光源から出射した光を時分割でＲ，Ｇ，Ｂの光に分離するカラーホイールと、該カラーホイールを出射した光を集光して平行光とする集光ロッドとを有し、前記ＰＳ分離合成素子は、前記集光ロッドを出射した光を変換し、該変換した光を前記ＤＬＰ素子に入射させることを特徴とするＤＬＰプロジェクタ装置。
【請求項３】
請求項１に記載のＤＬＰプロジェクタ装置において、該ＤＬＰプロジェクタ装置は、光源と、前記ＰＳ分離合成素子から出射した光を時分割でＲ，Ｇ，Ｂの光に分離するカラーホイールと、該カラーホイールを出射した光を集光して平行光として前記ＤＬＰ素子に入射させる集光ロッドとを有し、前記ＰＳ分離合成素子は、前記光源を出射した光を変換して前記カラーホイールに入射させることを特徴とするＤＬＰプロジェクタ装置。
【請求項４】
請求項１ないし３のいずれか１に記載のＤＬＰプロジェクタ装置において、前記ＰＳ分離合成素子は、偏光ビームスプリッタと、１／２波長板とを有し、前記偏光ビームスプリッタで入射光をＰ偏光成分とＳ偏光成分に分離し、該分離したＰ偏光成分とＳ偏光成分のいずれか一方を前記１／２波長板に作用させて偏光方向を回転せしめ、他方の偏光成分の偏光方向と一致させて出射させることを特徴とするＤＬＰプロジェクタ装置。
【請求項５】
請求項１ないし４のいずれか１に記載のＤＬＰプロジェクタ装置と、該ＤＬＰプロジェクタからの投射画像光を投射するための偏光スクリーンとを有するＤＬＰプロジェクタシステムであって、該偏光スクリーンが有する偏光板の偏光軸は、前記ＤＬＰプロジェクタ装置から投射される偏光面が揃った投射画像光を反射する方向に設定されていることを特徴とするＤＬＰプロジェクタシステム。
【請求項６】
請求項５に記載のＤＬＰプロジェクタシステムにおいて、前記偏光スクリーンは、前記ＤＬＰプロジェクタ装置がフロント投射型である場合には、反射型スクリーンとして構成され、前記ＤＬＰプロジェクタ装置がリア投射型である場合には、透過型スクリーンとして構成されることを特徴とするＤＬＰプロジェクタシステム。
【発明の詳細な説明】
【技術分野】
【０００１】
本発明は、ＤＬＰ（Digital Light Processing）素子を用いて投射画像光を投射するＤＬＰプロジェクタ装置、及び該ＤＬＰプロジェクタ装置とその投射画像光を結像するスクリーンとからなるＤＬＰプロジェクタシステムに関する。
【背景技術】
【０００２】
図６は、従来のプロジェクタ装置の構成の一例を概略的に示す図で、図中、２０は光源となるランプ、２０ａはランプ２０が備えるリフレクタ、２１はインテグレータレンズ、２２はＰＳ分離合成素子（偏光変換素子）、２３はコンデンサレンズ、２４は反射ミラー、２５はダイクロイックミラー、２６ａは映像処理回路、２６ｂは液晶駆動回路、２７は液晶パネル、２８はクロスプリズム、２９は投射レンズである。
【０００３】
図６のプロジェクタ装置において、ランプ２０からの光は、インテグレータレンズ２１によって集光効率と周辺光量比の向上を図った後、ＰＳ分離合成素子２２に入射する。ＰＳ分離合成素子２２では、入射光をＰ波（Ｐ偏光成分）とＳ波（Ｓ偏光成分）に分離したあと、一方の偏光成分を他方の偏光成分の偏光面に一致するように回転させ、同一の偏光面を持つ偏光光として出射させる。
【０００４】
ＰＳ分離合成素子２２を出射した光は、ダイクロイックミラー２５によってＲ，Ｇ，Ｂの３原色に分離され、反射ミラー２４によって光路を制御されてＲ用，Ｇ用，Ｂ用にそれぞれ設定された液晶パネル２７に入射する。プロジェクタ装置は、入力された映像信号を処理する映像処理回路２６ａと、該映像処理回路２６ａで処理された映像信号に従って液晶パネルを駆動する液晶駆動回路２６ｂとを有し、液晶パネル２７は、液晶駆動回路２６ｂの駆動信号に従って駆動し、各色の投射画像を生成する。そして液晶パネル２７で生成された各色の投射画像はクロスプリズム２８で合成され、投射レンズ２９によって図示しないスクリーン等の被投射面に投射される。
【０００５】
上記の構成においては、ＰＳ分離合成素子２２を配することにより光源光を偏光面が揃った偏光波にすることができ、この偏光波を液晶パネル２７に対する入射光とすることができる。そして、液晶パネル２７で映像光となった光においても、ＰＳ分離合成素子２２で揃えられた偏光特性は保たれるので、投射レンズから２９から投射される投射画像光は、偏光面が揃った偏光波でスクリーンに届くことになる。
【０００６】
図７は、ＰＳ分離合成素子の構成例とその作用を説明するための図で、図中、２２ａはＰＢＳ（Polarizing Beam Splitter）膜、２２ｂは反射膜、２２ｃは１／２波長板である。図７に示すＰＳ分離合成素子２２は、入射光をまずＰＢＳ膜２２ａによってＰ波とＳ波に分離し、分離したＰ波とＳ波の光のうち一方を１／２波長板２２ｃに作用させて偏光面を９０°回転させる。そして分離したもう一方の光は、反射膜２２ｂで反射させて１／２波長板を出射する出射光と出射方向を一致させる。
こうして、ＰＳ分離合成素子２２によって入射した光源光を、偏光方向の揃った偏光光に変換することができる。このときに、ＰＳ分離合成素子２２を出射した偏光光は、分離された各成分の偏光光の２倍弱の光量で出射することができる。
【０００７】
上述のごとくの偏光を利用した液晶プロジェクタでは、液晶パネル２７の入射側及び出射側に配置された偏光板によってＰ波とＳ波のうち一方の偏光成分が吸収されてしまうため、光の有効利用ができないこと、また、ランプからの光の強度が高い場合、偏光板で吸収する光によって偏光板が発熱して液晶パネル２７にダメージを与えること、等の問題が生じるが、上記のごとくのＰＳ分離合成素子２２は、光の有効利用や発熱の抑制等の問題に対して、極めて有効な解決手段を提供している。
【０００８】
上記のＰＳ分離合成機能を実現する他の例として、例えば、特許文献１には、偏光分離を行う偏光分離板と、その偏光分離板で空間的に分離したＳ波またはＰ波の一方を入射させる１／２波長板とが開示されている。偏光分離板は、ガラス基板と、そのガラス基板の一方の表面に設けた反射型偏光板と、ガラス基板の他方の表面に設けた反射板とを備えている。反射型偏光板に対して斜めに光源光が入射すると、反射型偏光板では、ＰまたはＳ波の一方を反射し、他方を透過させる。そして、反射型偏光板を透過したＰまたはＳ波は、反射板で反射し、これによってＰ波とＳ波が空間的に分離される。このＰ波とＳ波の一方の光路上に１／２波長板を配置することによって、偏光面の揃った偏光光が得られる。
【０００９】
一方、液晶パネルではなくＤＬＰ（Digital Light Processing）素子を用いたＤＬＰプロジェクタが提供されている。ＤＬＰプロジェクタは、光源となるランプ、ランプからの光をＲ，Ｇ，Ｂの３原色に時分割するカラーホイール、及び光学系からなる光学部と、光源光を時分割した３原色を入射させて投射画像を生成するＤＬＰ素子、入力された映像信号を処理する映像処理回路、及び該映像処理回路で処理された映像信号に従ってＤＬＰ素子を駆動するＤＬＰ駆動回路からなる電気回路部とを有している。
【００１０】
ＤＬＰプロジェクタにおいては、ランプから出力される光は、リフレクタまたはコンデンサレンズにより集光され、カラーホイールでＲ，Ｇ，Ｂの光に時分割で分離される。カラーホイールは円盤上にＲ、Ｇ、Ｂの色分離フィルターを配し回転することで時分割でＲ、Ｇ，Ｂの光に分離できる。そしてカラーホイールを通った光は、集光ロッドにて平行光にして、ＤＬＰ素子に入射させる。
【００１１】
ＤＬＰ素子は、米国のテキサス・インスツルメンツ社が開発したＤＭＤ（Digital Micromirror Device）を利用した素子であり、微小なマイクロミラーを多数枚（例えば数十万枚）ワンチップに集積し、個々のマイクロミラーに対するデジタル入力信号をＯＮ／ＯＦＦにすることで、個々のマイクロミラーの向きを約１０°だけ傾け、光の反射方向を切り替えるものである。そしてこのマイクロミラーを毎秒数千回の速度で動作させることにより画像を描く。ＤＬＰプロジェクタは、液晶プロジェクタのように小型化が可能で、かつ光をマイクロミラーによって反射させるため、光の減衰が少なく高コントラストが得やすいという利点がある。
【００１２】
上記のようなＤＬＰ方式のプロジェクタにおいては、投射画像を生成する手段としてＤＬＰ素子のマイクロミラーの傾きにより光のＯＮ、ＯＦＦを制御するため、液晶式のプロジェクタとは異なり偏光を利用していない。従って液晶プロジェクタで有効なＰＳ分離合成素子
も通常搭載されていない。
【００１３】
また、プロジェクタの投射画像を映し出すスクリーンとして、そのフロント投射において、スクリーン周囲が明るい環境下でも投射画像の良好なコントラストを得ることができるようにした偏光スクリーンが商品化されている。偏光スクリーンは、スクリーン面に偏光板を張り付けた構造を有している。これは液晶プロジェクタと組み合わせて使用して初めて効果が現れるものである。
【００１４】
液晶プロジェクタにおいては、上述したように液晶パネルが有する入射側及び出射側の偏光板によって、投射画像光はＳ波またはＰ波のいずれかとなる。そして偏光スクリーンでは、投射画像光の偏光光は反射するが投射画像光には含まれない偏光光は吸収されるように偏光軸が設定されている。このようにして液晶プロジェクタと偏光スクリーンを組み合わせれば、投射画像光はそのまま反射されるが、スクリーン周囲の投射画像光以外の光で、スクリーンに入射する外光（円偏光光）は両方の偏光成分が存在するため、半分はスクリーンに吸収され残り半分は反射されることになる。こうして外光の反射量が半分になることから、外光の存在が無視できないような場合でもコントラストの高い映像を得ることができる。
【特許文献１】特開２０００−３５５５３号公報
【発明の開示】
【発明が解決しようとする課題】
【００１５】
上記の液晶プロジェクタと偏光スクリーンの組み合わせは、外光の多い環境下におけるコントラストの向上には有効であるが、一方、プロジェクタをＤＬＰ方式に置き換えた場合には有効とはいえない。ＤＬＰプロジェクタは、上述したように液晶プロジェクタとは異なり、投射画像光が一方向の偏光面に揃った偏光光ではないため、投射画像光は偏光スクリーンにおいて半分は吸収されてしまうことになり、投射画像光のスクリーン上での反射が半減して暗くなってしまう。このとき、スクリーンに入射する外光も半分は吸収されてスクリーン上での反射は半減するものの、コントラストの向上にはつながらない。
【００１６】
本発明は、上述のごとき実情に鑑みてなされたもので、光の減衰が少なく高コントラストを得やすいという特徴をもつＤＬＰプロジェクタに対して、ＰＳ分離合成素子を用いることによって、単一の偏光面の投射画像光を生成することができ、これによって偏光スクリーンを効果的に利用することができるようにしたＤＬＰプロジェクタ装置を提供することを目的とするものである。
さらに本発明は、上記のＤＬＰプロジェクタと偏光スクリーンとによって、投射画像光の減衰と外光の反射とを抑えて、コントラストの高い映像を得ることができるようにしたＤＬＰプロジェクタシステムを提供することを目的とする。
【課題を解決するための手段】
【００１７】
第１の技術手段は、ＤＬＰ素子を有し、該ＤＬＰ素子によって生成した投射画像光を投射するＤＬＰプロジェクタ装置において、該プロジェクタ装置は、光源光のＰ偏光成分またはＳ偏光成分のいずれか一方を他方の偏光成分と同じ偏光面を持つように変換するＰＳ分離合成素子を有し、該ＰＳ分離合成素子によって変換された光を前記ＤＬＰ素子に入射させることを特徴としたものである。
【００１８】
第２の技術手段は、第１の技術手段において、該ＤＬＰプロジェクタ装置は、光源と、該光源から出射した光を時分割でＲ，Ｇ，Ｂの光に分離するカラーホイールと、該カラーホイールを出射した光を集光して平行光とする集光ロッドとを有し、前記ＰＳ分離合成素子は、前記集光ロッドを出射した光を変換し、該変換した光を前記ＤＬＰ素子に入射させることを特徴としたものである。
【００１９】
第３の技術手段は、第１の技術手段において、該ＤＬＰプロジェクタ装置は、光源と、前記ＰＳ分離合成素子から出射した光を時分割でＲ，Ｇ，Ｂの光に分離するカラーホイールと、該カラーホイールを出射した光を集光して平行光とする集光ロッドとを有し、前記ＰＳ分離合成素子は、前記光源を出射した光を変換して前記カラーホイールに入射させるとともに、前記集光ロッドを出射した光を前記ＤＬＰ素子に入射させることを特徴としたものである。
【００２０】
第４の技術手段は、第１ないし第３のいずれか１の技術手段において、前記ＰＳ分離合成素子は、偏光ビームスプリッタと、１／２波長板とを有し、前記偏光ビームスプリッタで入射光をＰ偏光成分とＳ偏光成分に分離し、該分離したＰ偏光成分とＳ偏光成分のいずれか一方を前記１／２波長板に作用させて偏光方向を回転せしめ、他方の偏光成分の偏光方向と一致させて出射させることを特徴としたものである。
【００２１】
第５の技術手段は、第１ないし第４のいずれか１に記載のＤＬＰプロジェクタ装置と、該ＤＬＰプロジェクタからの投射画像光を投射するための偏光スクリーンとを有するＤＬＰプロジェクタシステムであって、該偏光スクリーンが有する偏光板の偏光軸は、前記ＤＬＰプロジェクタ装置から投射される偏光面が揃った投射画像光を反射する方向に設定されていることを特徴としたものである。
【００２２】
第６の技術手段は、第５の技術手段において、前記偏光スクリーンは、前記ＤＬＰプロジェクタ装置がフロント投射型である場合には、反射型スクリーンとして構成され、前記ＤＬＰプロジェクタ装置がリア投射型である場合には、透過型スクリーンとして構成されることを特徴としたものである。
【発明の効果】
【００２３】
本発明によれば、ＰＳ分離合成素子を用いることによって、単一の偏光面の投射画像光を生成することができ、これによって偏光スクリーンを効果的に利用することができるようにしたＤＬＰプロジェクタ装置を提供することができる。
さらに本発明は、ＤＬＰプロジェクタと偏光スクリーンとによって、投射画像光の減衰と外光の反射とを抑えて、コントラストの高い映像を得ることができるようにしたＤＬＰプロジェクタシステムを提供することができる。
【発明を実施するための最良の形態】
【００２４】
図１は、本発明のＤＬＰプロジェクタ装置の一実施例を説明するための図で、図中、１は光源となるランプ、１ａはランプ１が有するリフレクタ、２はカラーホイール、３は集光ロッド、４はＰＳ分離合成素子、５ａは映像処理回路、５ｂはＤＬＰ駆動回路、６はＤＬＰ素子、７は投射レンズである。
【００２５】
ＤＬＰプロジェクタ装置は、ランプ１から出力される光をリフレクタ１ａまたは図示しないコンデンサレンズにより集光し、カラーホイール２によってＲ，Ｇ，Ｂの３原色に時分割する。カラーホイール２は、図２に示すように、円盤上にＲ、Ｇ、Ｂの色分離フィルター２ｒ、２ｇ、２ｂを配してなり、この円盤を回転することで入射する光源光を時分割でＲ、Ｇ，Ｂの光に分離できる。そしてカラーホイール２からの出射光を集光ロッド３によって平行光として、ＰＳ分離合成素子４に入射させる。
【００２６】
ＰＳ分離合成素子４は、上述したごとくに、入射光をＰ波とＳ波に分離したあと、一方の偏光成分の偏光面を他方の偏光成分の偏光面に一致するように回転させ、同一の偏光面を持つ偏光光として出射させる機能を有するものである。本発明に適用するＰＳ分離合成素子４としては、例えば上述した図７に示すごとくのＰＳ分離合成素子や、その他の公知のＰＳ分離合成素子を適用することができる。
【００２７】
ＤＬＰプロジェクタ装置は、映像処理回路５ａ及びＤＬＰ駆動回路５ｂを有し、映像処理回路５ａにて入力された映像信号を処理し、ＤＬＰ駆動回路５ｂが映像処理回路５ａで処理された映像信号に従ってＤＬＰ素子６を駆動せしめる。
ＰＳ分離合成素子４を出射して偏光面が揃った光は、ＤＬＰ素子６に入射し、このときに、上記ＤＬＰ駆動回路５ｂによる駆動信号に従ってＤＬＰ素子６のマイクロミラーが駆動し、投射画像光が生成される。そして生成された投射画像光は、投射レンズ７を介して図示しないスクリーン等の被投射面に投射される。
【００２８】
上記の構成においては、ＰＳ分離合成素子４を配することによりカラーホイール２を通った光を偏光面が揃った偏光光にすることができ、この偏光光をＤＬＰ素子６に対する入射光とすることができる。そして、ＤＬＰ素子６で投射画像光となった光においても、ＰＳ分離合成素子４で揃えられた偏光特性は保たれるので、投射レンズ７から投射される投射画像光は、偏光面が揃った偏光光としてスクリーンに届くことになる。
【００２９】
上記のＤＬＰプロジェクタの投射画像光と偏光スクリーンとによって、本発明に関わるＤＬＰプロジェクタシステムを提供することができる。すなわち、本発明のＤＬＰプロジェクタ装置と偏光スクリーンとを用いることによって、コントラストの高い投射画像を得ることができる。
図３は、本発明のＤＬＰプロジェクタシステムに適用する偏光スクリーンの一例を説明するための図で、図中、１０は偏光スクリーン、１０ａは偏光層、Ｌ1はＤＬＰプロジェクタ装置から投射された投射画像光、Ｌ2は偏光スクリーンに斜め側方から入射する外光である。ＤＬＰプロジェクタ装置から投射される投射画像光Ｌ1は、偏光面が揃った偏光光である。ここではその偏光光の偏光方向をＰとする。なお、図３に示す光路は、本発明に関する偏光スクリーンの作用を説明するための概略的な光路である。
【００３０】
偏光スクリーン１０には偏光板による偏光層１０ａが張り合わされ、その偏光層１０ａの偏光軸は、ＤＬＰプロジェクタ装置からの投射画像光が反射する方向に設定される。例えば、図３の例では、投射画像光Ｌ1の偏光光の偏光方向をＰとするとき、偏光スクリーン１０の偏光層１０ａの偏光軸は、偏光方向Ｐの光を反射する方向に設定されている。これにより、偏光スクリーン１０に入射するＤＬＰプロジェクタ装置からの投射画像光Ｌ1は、偏光層１０ａの作用を受けて偏光スクリーン１０の前方に戻される。
【００３１】
一方、投射画像光以外にスクリーンに入射する外光Ｌ2は、通常、偏光面が揃った偏光光ではなく、ランダムな偏光の円偏光光である。ここでは、外光Ｌ2は、２つの偏光方向Ｐ波とＳ波の偏光成分が混在した光であるものとする。外光Ｌ2が偏光スクリーン１０に入射すると、一方の偏光方向Ｐの偏光成分が反射し、他方の偏光方向Ｓの偏光成分が吸収される。すなわち、偏光スクリーン１０に入射する外光Ｌ2は、その半分が偏光スクリーン１０で吸収されることになる。
【００３２】
こうして、偏光スクリーンにおいてＤＬＰプロジェクタ装置からの投射画像光を反射し、外光の半分を吸収させることにより、コントラストの高い投射画像光を得ることができる。ＤＬＰプロジェクタ装置にＰＳ分離合成素子４が備えられてない場合には、投射画像光は偏光面が揃った偏光光にはならないことになるから、偏光スクリーンで投射画像光の半分が吸収されてしまい、投射画像が暗くなってしまう。
【００３３】
図４は、本発明のＤＬＰプロジェクタ装置の他の実施例を説明するための図で、図中、８はインテグレータレンズ、９はコンデンサレンズで、その他、図１と同様の機能を有する部分には図１と同じ符号が付してある。図４の実施例では、ＰＳ分離合成素子（偏光変換素子）４をランプ１の近くに配している。
【００３４】
図４に示すＤＬＰプロジェクタ装置は、ランプ１から出力される光源光をランプ１が備えるリフレクタ１ａにより集光し、インテグレータレンズ８によって集光ロッド３への集光効率と周辺光量比の向上を図り、ＰＳ分離合成素子４にその光源光を入射させる。そしてＰＳ分離合成素子４によって入射光をＰ波とＳ波に分離したあと、一方の偏光成分を他方の偏光成分の偏光面に一致するように回転させ、同一の偏光面を持つ偏光光として出射させる。
【００３５】
ＰＳ分離合成素子４を出射した光は、コンデンサレンズ９によって集光され、さらに集光光の光路上に配置されたカラーホイール２によってＲ，Ｇ，Ｂの３原色に時分割される。そしてカラーホイール２で時分割された光は、集光ロッド３で平行光とされ、ＤＬＰ素子６に入射する。このときに、ＤＬＰ駆動回路による駆動信号に従ってＤＬＰ素子６のマイクロミラーが駆動し、投射画像光が生成される。そして生成された投射画像光は、投射レンズ７を介して図示しないスクリーン等の被投射面に投射される。
【００３６】
上記の構成においては、ランプ１の近くにＰＳ分離合成素子４を配することにより光源光を偏光面が揃った偏光光にすることができ、この偏光光をＤＬＰ素子６に対する入射光とすることができる。そして、ＤＬＰ素子６で画像光となった光においても、ＰＳ分離合成素子４で揃えられた偏光特性は保たれるので、投射レンズ７から投射される投射画像光は、偏光面が揃った偏光光としてスクリーンに届くことになる。
【００３７】
図５は、本発明のＤＬＰプロジェクタシステムに適用する偏光スクリーンの他の例を説明するための図で、図中、１１は偏光スクリーン、１１ａは偏光層、Ｌ1はＤＬＰプロジェクタから投射された投射画像光、Ｌ2は偏光スクリーンに側方から入射する外光である。図５に示す偏光スクリーン１１は、図３に示すごとくのフロント投射タイプのスクリーンではなく、リア投射タイプのスクリーンである。本実施例の偏光スクリーン１１は、通常のリア投射用スクリーンの観察者側に偏光板による偏光層１１ａを張り合わせた構成をとる。
【００３８】
上述したようにＤＬＰプロジェクタから投射される投射画像光は、偏光面が揃った偏光光である。ここではその偏光光の偏光方向をＰとする。偏光スクリーン１１の偏光層１１ａの偏光軸は、ＤＬＰプロジェクタからの投射画像光が透過する方向に設定される。例えば、図５の例では、投射画像光Ｌ1の偏光方向をＰとするとき、偏光スクリーン１１の偏光層１１ａの偏光軸は、偏光方向Ｐの光を透過する方向に設定されている。これにより、偏光スクリーン１１に入射するＤＬＰプロジェクタからの投射画像光Ｌ1は透過して偏光スクリーン１０の前方の観察者側に出射する。
【００３９】
一方、投射画像光以外にスクリーンに入射する外光Ｌ2は、偏光面が揃った偏光光ではなく、ランダムな偏光の円偏光光である。ここでは、外光Ｌ2は、２つの偏光方向Ｐ波とＳ波の偏光成分が混在した光であるものとする。外光Ｌ2が偏光スクリーン１１に入射すると、一方の偏光方向Ｐの偏光成分が反射し、他方の偏光方向Ｓの偏光成分が吸収される。すなわち、偏光スクリーン１１に入射する外光Ｌ2は、その半分が偏光スクリーン１１で吸収されることになる。こうして、ＤＬＰプロジェクタ装置からの投射画像光を透過し、外光の半分を吸収させることにより、コントラストの高い投射画像光を得ることができる。
【図面の簡単な説明】
【００４０】
【図１】本発明のＤＬＰプロジェクタの一実施例を説明するための図である。
【図２】本発明のＤＬＰプロジェクタに適用可能なカラーホイールの一例を示す概略図である。
【図３】本発明のＤＬＰプロジェクタシステムに適用する偏光スクリーンの一例を説明するための図である。
【図４】本発明のＤＬＰプロジェクタ装置の他の実施例を説明するための図である。
【図５】本発明のＤＬＰプロジェクタシステムに適用する偏光スクリーンの他の例を説明するための図である。
【図６】従来のプロジェクタ装置の構成の一例を概略的に示す図である。
【図７】ＰＳ分離合成素子の構成例とその作用を説明するための図である。
【符号の説明】
【００４１】
１…ランプ、１ａ…リフレクタ、２…カラーホイール、３…集光ロッド、４…ＰＳ分離合成素子、５ａ…映像処理回路、５ｂ…ＤＬＰ駆動回路、６…ＤＬＰ素子、７…投射レンズ、８…インテグレータレンズ、９…コンデンサレンズ、１０…偏光スクリーン、１０ａ…偏光層、１０ｂ…反射層、１１…偏光スクリーン、１１ａ…偏光層、２０…ランプ、２０ａ…リフレクタ、２１…インテグレータレンズ、２２…ＰＳ分離合成素子、２２ａ…ＰＢＳ膜、２２ｂ…反射膜、２２ｃ…１／２波長板、２３…コンデンサレンズ、２４…反射ミラー、２５…ダイクロイックミラー、２６ａ…映像処理回路、２６ｂ…液晶駆動回路、２７…液晶パネル、２８…クロスプリズム、２９…投射レンズ。
【図１】
2005128120.tif 000003
【図２】
2005128120.tif 000004
【図３】
2005128120.tif 000005
【図４】
2005128120.tif 000006
【図５】
2005128120.tif 000007
【図６】
2005128120.tif 000008
【図７】
2005128120.tif 000009